(57)【要約】　　　（修正有）【課題】錠前の存在が認識されないので、家屋の防犯性を高めることができる。【解決手段】ドアスコープの位置にドアスコープと同じ外観をした受信器８を取り付けておき、送信器（鍵）から正規の施錠信号（赤外線信号）を受信すると、受信器８から施錠機構部７に施錠信号を送信してドア１を施錠する。また、送信器（鍵）から正規の解錠信号（赤外線信号）を受信すると、受信器８から施錠機構部７に解錠信号を送信してドア１を解錠する。【選択図】　図１
0003099108.tif 000002
【実用新案登録請求の範囲】
【請求項１】
ドアを施錠又は解錠するための施錠装置であって、
屋外側から見た外観がドアスコープと同様な外観となるようにして、ドアに取り付けられた受信機と、
ドアを施錠又は解錠するための施解錠機構部とを備えた施錠装置。
【請求項２】
前記受信機に施錠用の信号又は解錠用の信号を送信する送信機を備えた、請求項１に記載の施錠装置。
【請求項３】
前記送信機から前記受信機へ送られる施錠用又は解錠用の信号は、光信号であることを特徴とする、請求項２に記載の施錠装置。
【請求項４】
前記受信機の少なくとも一部が筒状に形成され、当該筒状部分はドアに開口された孔に取り付けられており、前記光信号を受信するための受光素子が当該筒状部分の屋外側開口から見える位置に配置されていることを特徴とする、請求項３に記載の施錠装置。
【請求項５】
前記受信機の少なくとも一部が筒状に形成され、当該筒状部分はドアに開口された孔に取り付けられており、前記施解錠機構部の施錠状態又は解錠状態を表示する表示部が当該筒状部分の屋外側開口から見える位置に配置されていることを特徴とする、請求項１〜４に記載の施錠装置。
【請求項６】
前記受信機の少なくとも一部は、ドアに開口されたドアスコープ用の孔を利用して取り付けられていることを特徴とする、請求項１〜５に記載の施錠装置。
【請求項７】
前記施解錠機構部には、屋内側から前記施解錠機構部を施錠又は解錠させるための手動操作部が設けられていることを特徴とする、請求項１〜６に記載の施錠装置。
【請求項８】
前記施解錠機構部を駆動するバッテリーの電圧を検出する手段と、前記バッテリーの電圧検出値が所定レベル以下に下がったことを知らせる警告手段とを備えていることを特徴とする、請求項１〜７に記載の施解錠装置。
【請求項９】
前記施解錠機構部を駆動するバッテリーの電圧を検出する手段と、前記バッテリーの電圧検出値が所定レベル以下に下がったら、前記施解錠機構部を強制的に解錠させる手段とを備えていることを特徴とする、請求項１〜８に記載の施錠装置。
【請求項１０】
前記送信機から前記受信機へ送られる施錠用又は解錠用の信号のコードは、送信する都度変化することを特徴とする、請求項２〜９に記載の施解錠装置。
【請求項１１】
前記送信機は、施錠用又は解錠用の正規の信号と疑似信号とによって構成される複数回の信号を連続的に送信することを特徴とする、請求項２〜９に記載の施錠装置。
【考案の詳細な説明】
【０００１】
【考案の属する技術分野】
本考案は、施錠装置に関する。
【０００２】
【背景技術】
家屋入口の施錠装置としては、ドアに設けられたシリンダー錠などが一般的である。しかし、近年では、ピッキング手口の巧妙化とピッキング方法の知識が広まったことにより、ピッキングによる住居侵入と空き巣犯罪が増加しており、社会問題となっている。
【０００３】
このようなピッキングに対する防犯対策としては、新たな機構の錠や電子錠なども開発されているが、新機構の錠が開発されると新たなピッキング用具やピッキング方法が用いられており、いたちごっこの状態になっている。
【０００４】
本考案は、上記のような解決課題に鑑みてなされたものであり、その目的とするところは、錠前の位置をカモフラージュすることで防犯性を高めた施錠装置を提供することにある。
【０００５】
【考案の開示】
本考案の請求項１に記載の施錠装置は、ドアを施錠又は解錠するための施錠装置であって、屋外側から見た外観がドアスコープと同様な外観となるようにして、ドアに取り付けられた受信機と、ドアを施錠又は解錠するための施解錠機構部とを備えたものである。
【０００６】
ドアに施錠装置を設ける場合、どうしても施錠装置の少なくとも一部が屋外側に露出することになる。請求項１に記載の施錠装置にあっては、屋外側から見た外観がドアスコープと同様な外観になっているので、屋外側から見た場合にはドアスコープと見分けが付かず、施錠装置の存在を認識されない。従って、このような施錠装置をドアに設けておくことにより、家屋入口における防犯性能を高めることができる。特に、他の錠前と併用して補助錠として使用することによって防犯性を高めることができる。
【０００７】
請求項２に記載した実施態様においては、前記受信機に施錠用の信号又は解錠用の信号を送信する送信機を備えている。従って、この施錠装置によれば、非接触でドアの施錠又は解錠を行うことができ、施解錠動作が容易になる。
【０００８】
また、請求項３に記載した実施態様においては、前記送信機から前記受信機へ送られる施錠用又は解錠用の信号を光信号としている。施錠又は解錠用の信号として光信号を用いて狭い範囲に信号を送信するようにすれば、電波のように傍受して施解錠信号をコピーされる恐れが無く、より防犯性を高めることができる。
【０００９】
請求項４に記載した実施態様においては、前記受信機の少なくとも一部が筒状に形成され、当該筒状部分はドアに開口された孔に取り付けられており、前記光信号を受信するための受光素子が当該筒状部分の屋外側開口から見える位置に配置されていることを特徴としている。よって筒状部分の屋外側から見える位置を目印にしてその位置に向けて信号を送信すれば、受光素子に受光させることができる。
【００１０】
請求項５に記載した実施態様においては、前記受信機の少なくとも一部が筒状に形成され、当該筒状部分はドアに開口された孔に取り付けられており、前記施解錠機構部の施錠状態又は解錠状態を表示する表示部が当該筒状部分の屋外側開口から見える位置に配置されていることを特徴としている。
【００１１】
表示素子は、例えば、赤色ＬＥＤと緑色ＬＥＤを透明な部材に封入したものであって、ドアが施錠されているときには赤色に点灯し、また、ドアが解錠されているときには緑色に点灯することによって、ドアの施解錠状態を表示する。この表示素子をドアスコープの孔内に取り付けておけば、屋外側からドアの施錠状態を確認することができる。よって、特にシリンダー錠など他の鍵と本考案の施錠装置を併用している場合、施錠が本考案の施錠装置によって行われているのかどうかを確認することができ、便利である。また、施錠を確実に行うことができるので、防犯性能を高めることができる。
【００１２】
請求項６に記載した実施態様においては、前記受信機の少なくとも一部は、ドアに開口されたドアスコープ用の孔を利用して取り付けられていることを特徴としている。従って、ドアスコープを外し、ドアスコープが取り付けられた孔に受信機の少なくとも一部を装着することで簡単に受信機を施工することができる。
【００１３】
請求項７に記載した実施態様にておいては、前記施解錠機構部には、屋内側から前記施解錠機構部を施錠又は解錠させるための手動操作部が設けられていることを特徴としている。よって、停電やバッテリー切れなどの不具合が発生したときに、手動で開閉することができる。
【００１４】
請求項８に記載した実施態様では、前記施解錠機構部を駆動するバッテリーの電圧を検出する手段と、前記バッテリーの電圧検出値が所定レベル以下に下がったことを知らせる警告手段とを備えていることを特徴としている。よって、施解錠機構部を駆動させるだけの電力が無くなる前にバッテリーの交換または充電時期であることを知ることができる。
【００１５】
請求項９に記載した実施態様においては、前記施解錠機構部を駆動するバッテリーの電圧を検出する手段と、前記バッテリーの電圧検出値が所定レベル以下に下がったら、前記施解錠機構部を強制的に解錠させる手段とを備えていることを特徴としている。よって、施錠状態のまま施解錠機構部を駆動させられなくなり入室できなくなることを防止することができる。
【００１６】
請求項１０に記載した実施態様においては、前記送信機から前記受信機へ送られる施錠用又は解錠用の信号のコードが、送信する都度変化するので、万一信号がコピーされたとしても、コピー信号によって施解錠される恐れが無く、より防犯性を高めることができる。
【００１７】
請求項１１に記載した実施態様においては、前記送信機は、施錠用又は解錠用の正規の信号と疑似信号とによって構成される複数回の信号を連続的に送信することを特徴としている。よって、市販されている学習リモコン装置を使っても正規の信号をコピーできないため、防犯性を高めることができる。
【００１８】
【考案の実施の形態】
（第１の実施形態）
図１（ａ）（ｂ）は、本考案の一実施形態による施錠装置４を備えた家屋入口用のドア１を示す屋外側からの正面図と、屋内側からの背面図である。ここに示すドア１は、一般にマンション等の集合住宅や洋風一戸建て住宅などに用いられているものである。このドア１には、シリンダー錠その他の錠前を内蔵したドアノブ２と、ロック装置３と、本考案にかかる施錠装置４とが設けられている。ドアノブ２の錠前は屋外側からは鍵穴５に鍵を差して施錠又は解錠することができ、屋内側からはサムターン６を回すことによって施錠又は解錠することができる。また、ロック装置３は屋内側からのみ施錠又は解錠することができるものであって、一般にかんぬき錠などが用いられている。なお、ここでは一般的な構造のドアについて説明したが、本考案の施錠装置４を用いるためのドアは、特にこのようなドアに限定されるものではない。
【００１９】
本考案の施錠装置４は、補助錠として用いられるものであって、ドア１を施錠するための施解錠機構部７と、送信機（鍵）からの光信号を受信する受信機８とからなり、施解錠機構部７と受信機８とはリード線９によってつながれている。受信機８の屋内側には、屋内から送信機を用いて施解錠が行えるように、送信機から送信した光信号を受光する受光素子６８が設けられている。施解錠機構部７は、ベース１５とカバー１６からなるハウジング内に納められおり、図２に示すように、ドア１の強度を有する部分（ドア框など）にビス１０等で強固に後付けされている。壁側のドア枠１１にビス１２等で強固に取り付けられた保持金具１３の溝内に施錠部材１４を突出させ、あるいは後退させることによってドア１を施錠又は解錠させられるようになっている。
【００２０】
図３は、施解錠機構部７の平面図である。カバー１６の表面には、施錠部材１４の長手方向に平行な開口３７が設けられており、この開口３７には施錠部材１４に固定された手動操作部３６が挿通されている。２８は透孔であって、施解錠機構部７をビス１０でドア１に固定する際に用いられる。カバー１６の表面には、バッテリーチェックランプ６６と、通電時に点灯する通電ランプ６７とが設けられている。
【００２１】
施解錠機構部７を駆動する電力は、商用電源から供給するのが望ましいが、バッテリーなどを用いてもよい。バッテリーを用いる場合、図３に示すようにバッテリーチェックランプ６６を設けて、バッテリー電圧が所定電圧（例えば、フル充電時の電圧の９０％）以下に下がると点灯して、バッテリーの交換時期又は充電時期を知らせるようにしておくとよい。なお、バッテリ−チェックランプ６６の代わりに、バッテリーの蓄電量または電圧を表示するインジケータを設けておいてもよい。
【００２２】
図４は施解錠機構部７の内部の構造を示す平断面図であって、カバー１６を破断して内部の構造を示している。また、図５は施解錠機構部７の構造を拡大して示す断面図である。金属製の施錠部材１４は、ベース１５上に固定された支持金具（図示せず）によって長手方向にスライド自在に、かつ強固に保持されている。施錠部材１４は、図６に示すように平板状をしており、その基端部には、手動操作部３６と長孔１８とが設けられている。手動操作部３６は、施錠部材１４から上方へ突出するようにして固定されており、つまみやすくするために先端にはつまみ１７が被せられる。長孔１８は、施錠部材１４の長手方向と直交する方向に延びた開口であって、当該長孔１８内には柱状をした第１バネ受け１９が嵌め込まれている。第１バネ受け１９は、長孔１８に沿って摺動自在に動くことができる。また、施錠部材１４の下面には、下方へ突出するようにして永久磁石２０が固定されている。
【００２３】
施錠部材１４の上方には、図４に示すようにカム板２１が配設されており、カム板２１に開口された円弧状のカム孔２２内には第１バネ受け１９の上部が挿通されている。また、ベース１５の上面には、柱状をした第２バネ受け２３が立てられており、第１バネ受け１９と第２バネ受け２３との間には引張バネ２４の両端を引っ掛けて引張バネ２４が張られている。ベース１５の上面には、永久磁石２０を挟むようにして２つの電磁石２５、２６が固定されている。図４中の２７は、カバー１６に開口された通孔であって、施錠部材１４を外部へ突出させるためのものである。
【００２４】
図７（ａ）（ｂ）は上記施解錠機構部７の動作説明図である。図７（ｂ）のように施錠部材１４が後方に後退していたものとする。この状態において、前方の電磁石２５を励磁して永久磁石２０を前方へ吸着させると（このとき、後方の電磁石２６も励磁して永久磁石２０に反発力を及ぼしてもよい。）、施錠部材１４は前方へ移動させられて突出する。施錠部材１４が前方へ移動する際には、第１バネ受け１９はカム孔２２によって横に動かされ、引張バネ２４の引張力に抗して長孔１８内を横に移動する。こうして第１バネ受け１９がカム孔２２の前端に達すると、図７（ａ）のように施錠部材１４が突出した状態で停止する。
【００２５】
逆に、後方の電磁石２６を励磁して永久磁石２０を後方へ吸着させると（このとき、前方の電磁石２５も励磁して永久磁石２０に反発力を及ぼしてもよい。）、施錠部材１４は後方へ移動させられて引っ込む。施錠部材１４が後方へ移動する際にも、第１バネ受け１９はカム孔２２によって横に動かされ、引張バネ２４の引張力に抗して長孔１８内を横に移動する。こうして第１バネ受け１９がカム孔２２の後端に達すると、図７（ｂ）のように施錠部材１４が後退した状態で停止する。
【００２６】
また、図７（ａ）（ｂ）に示すように、カム孔２２の曲率は、第２バネ受け２３を中心としてカム孔２２の中央部を通る円弧（図７に１点鎖線で示す。）の曲率よりも大きいので、引張バネ２４は第１バネ受け１９がカム孔２２の中央部に位置しているときに最大伸びとなり、カム孔２２の両端に位置しているときに最小伸びとなっている。従って、電磁石２５、２６を励磁して施錠部材１４を前方又は後方へ動かした後は、電磁石２５、２６の電源をオフにして消磁しても施錠部材１４はカム孔２２によって動かないようにクランプされている。よって、施解錠機構部７を施錠又は解錠するときだけ電磁石２５、２６に通電すればよく、省電力化を図ることができると共に、停電時などに解錠されてしまう恐れもない。なお、停電時やバッテリー切れなどの非常時には、手動操作部３６のつまみ１７を持って手動で施錠部材１４を動かして、鍵の施解錠を行うことができる。
【００２７】
図８は受信機８の構造を示す断面図である。ドア１に設けた開口２９には、内部に受光素子３２と表示素子３１を設けた受光素子ホルダー３０が挿通されている。表示素子３１は、例えば赤色ＬＥＤと緑色ＬＥＤとを封入した発光素子である。受光素子ホルダー３０を構成する筒部３８，３９はいずれも筒状をしていて、いずれも一方の端部には鍔が形成されている。筒部３８の鍔側の端には、受光素子３２と表示素子３１が取り付けられ、筒部３９の鍔側の端にはガラス板や透明プラスチックなどでできた窓部３３が嵌め込まれて固定されている。受光素子ホルダー３０の屋内側には、受信回路等を実装した回路基板３４が納められており、表示素子３１と受光素子３２の配線は回路基板３４に繋がれている。回路基板は３４は、その全体をカバー６９で覆われている。
【００２８】
表示素子３１は、ドア１が施錠されているときは赤色に点灯し、解錠されているときには緑色に点灯するようになっている。よって、窓部３３を通して受光素子ホルダー３０をのぞき込めば、ドアの施解錠状態を確認することができる。なお、単色のＬＥＤの点灯と消灯とでドアの施解錠を表示するようにしてもよいが、ＬＥＤが切れるなどして点灯しなくなったときには、常に施錠又は解錠状態を示すことになるため、誤認を生ずる恐れがある。
【００２９】
受光素子ホルダー３０をドア１に取り付ける際には、ドア１に取り付けられていたドアスコープを外し、ドアスコープが挿入されていた孔を利用して筒部３８、３９を取り付ける。また、ドア１にドアスコープが取り付けられていなかった場合には、ドア１を加工して開口２９を設ける。
【００３０】
筒部３８の内周面と筒部３９の外周面には雌ねじ４０ａと雄ねじ４０ｂが形成されているので、開口２９に屋内側から挿通した筒部３８と、屋外側から挿通した筒部３９とを開口２９の内部で螺じ合わせれば、ドア１に受光素子ホルダー３０を固定することができる。一般にドアの厚みは３５ｍｍ〜５０ｍｍ程度と幅があるが、例えば筒部３８の長さを３５ｍｍ、筒部３９の長さを２０ｍｍとしておき、ドアの厚みに合わせて筒部３８，３９の重なり合う部分の長さを調整すれば、厚みの異なるドアにも同じ受光素子ホルダー３０を取り付けることができる。
【００３１】
この受光素子ホルダー３０は、ドアスコープと同じ外観を有しており、外からは見分けが付かないようにしている。図９は受信機８の屋外側からの外観を示す拡大図である。屋外側からは、受信機８のうち受光素子ホルダー３０と窓部３３だけが見えており、その外観はドアスコープと見分けの付かない外観となっている。なお、窓部３３は、平板状であってもよいし、受光素子に向けて光を集光させるようなレンズであってもよい。
【００３２】
しかして、屋外側から施錠装置４を施解錠する場合には、送信機（鍵）からドアスコープ状をした受信機８に向けて施錠信号又は解錠信号（赤外線信号）を送信する。受信機８に向けて赤外線信号を送信すると、この信号は窓部３３を通過して受光素子３２で受光される。そして、その信号が正規の信号であるか、また施錠信号であるか、解錠信号であるかを判別し、正規の信号であると判断すれば、施解錠機構部７へ向けて施錠信号又は解錠信号を送信し、それに応じて施解錠機構部７により施錠又は解錠動作を行わせる。
【００３３】
図１０（ａ）（ｂ）は送信機３５と受信機８の構成を示す図である。図１０（ａ）に示す送信機３５は、プッシュボタンスイッチ４１、制御回路４２、固定コード記憶部４３、可変コード生成部４４、送信回路４５、投光素子駆動回路（ドライバ回路）４６及び投光素子４７からなっている。
【００３４】
プッシュボタンスイッチ４１は送信機３５の表面に設けられており、施錠用のものと解錠用のものが個別に設けられていてもよく、１つのプッシュボタンスイッチ４１を押す度に、施錠と解錠とに切り替わるようになっていてもよい。送信機３５で生成される情報コードの構成を図１１に示す。固定コード（ＩＤコード）は当該送信機３５に固有の識別用コード（ＩＤコード）であって、例えば１６ビットの２進コードとなっており、固定コード記憶部４３のメモリに格納されている。また、可変コード（ローリングコード）は、送信機３５から信号を送信する度に、比較的簡単な変換規則に従って変化するものであって、簡単な規則性の例としては、送信する度に可変コードを１ずつ増加させていくものがある。可変コードは、可変コード生成部４４のメモリ内に記憶されており、可変コード生成部４４は信号送信の都度（つまり、制御回路４２により可変コードを読み出す際）、可変コードを変換規則に従って変換し（例えば、１増加させて）保存する。
【００３５】
制御回路４２は、プッシュボタンスイッチ４１が押されると、スタートビット（ＳＢ）の後に固定コード、可変コード（送信の都度、１ずつ増加するとする）、メーカーコード（ＭＣ）をつなぎ、さらに施錠や解錠などの制御内容を示す制御コードなどをつないで情報コードを構成し、この情報コードを２値化パルス信号として送信回路４５へ出力する。このとき制御回路４２が可変コードを読み出すと、可変コード生成部４４は１だけ可変コードを進めて制御回路４２へ送り出すと共に可変コード生成部４４の可変コードを更新する。従って、プッシュボタンスイッチ４１が押される度、制御回路４２から施解錠機構部７へ出力される情報コードは順次変化する。
【００３６】
送信回路４５へ送られた情報コードは、送信回路４５において所定の変調方式により変調された後、投光素子駆動回路４６で赤外光ＬＥＤ等の投光素子４７を駆動して送信される。
【００３７】
このような送信機３５によれば、可変コードが送信毎に変化しているので、万一信号がコピーされたりしても、コピー信号は受信機８によって正規の信号と認められず、防犯効果を高めることができる。
【００３８】
また、受信機８は、図１０（ｂ）に示すように、受光素子３２、受信回路４８、コード照合部４９、固定コード記憶部５０、可変コード生成部５１及び出力回路５２から構成されている。受信回路４８は、受光素子３２で受信した赤外線信号を増幅及び復調し、元の情報コード（２値化パルス信号）を復元してコード照合部４９へ送る。
【００３９】
コード照合部４９は、固有の固定コードが登録されている固定コード記憶部５０から固定コードを読み出し、送信機側の固定コード（受信コード）と受信機側の固定コードとが一致するか、照合する。また、コード照合部４９は、可変コード生成部５１から可変コードを読み出し、送信機側の可変コード（受信コード）と受信機側の可変コードを比較して送信機側の可変コードが過去に使用されたものでないか、照合する。
【００４０】
可変コード生成部５１は、送信機３５の可変コード生成部４４と同じ変換規則に従い、受信した情報コードの照合が成功する度に可変コードを変化させ、更新する。例えば、可変コードを１ずつ増加させる。この場合には、受信した可変コードが過去に使用されたものでないか否かの判定は、受信した可変コードと受信機８の可変コード生成部５１に保持されている可変コードとの大小比較を行ない、受信した可変コードが受信機の可変コードよりも小さい場合には、過去に使用されたものであると判断する。但し、受信機が受信できないような場所で送信機３５で信号を送信する度に、次第に送信機３５の可変コードと受信機８の可変コードとの差が大きくなるのを防止するため、照合が成功した場合には、可変コード生成部５１は受信した可変コードと等しくなるまで可変コードを更新して保持するようにするのが好ましい。
【００４１】
コード照合部４９は、固定コードが一致し、可変コードが過去に使用されたものでないと、照合成功と判断し、照合成功を知らせる信号を出力回路５２に送る。出力回路５２は、照合成功の信号を受け取ると、制御コードに示されている指示に従って、施錠信号もしくは解錠信号を出力し、施解錠機構部７を駆動して施錠もしくは解錠させる。
【００４２】
受信機８と施解錠機構部７とをバッテリー７１で駆動させる場合、図１０（ｂ）に示すように受信機８に電圧検知回路６０とコンパレータ６１ａを設けて、前述のバッテリーチェックランプ６６の点灯又は消灯を制御するとよい。また、コンパレータ６１ｂを設けて、バッテリー７１の電圧が低下したときには自動的に鍵を解錠させるようにするとよい。以下、これらの仕組みをより具体的に説明する。
【００４３】
電圧検知回路６０は、バッテリー７１の電圧を検知して、結果をコンパレータ６１ａ，６１ｂに出力する。コンパレータ６１ａ，６１ｂには、それぞれ基準電圧が設けられている。例えば、コンパレータ６１ａとコンパレータ６１ｂの基準電圧は、それぞれバッテリーのフル充電時の電圧の９０％と８０％というように、コンパレータ６１ａの基準電圧が、コンパレータ６１ｂの基準電圧よりも高くなっている。コンパレータ６１ａ，６１ｂは、検知電圧が基準電圧よりも高いときには「１」を、また、基準電圧よりも低いときには「０」を出力するというように、基準電圧に対する検知電圧の高低を出力する。
【００４４】
コンパレータ６１ａの出力は、ランプ点灯回路７０に入力される。ランプ点灯回路７０は、検知電圧（バッテリー７１の電圧）がコンパレータ６１ａの基準電圧よりも高いときには、バッテリーチェックランプ６６を消灯させる。また、検知の電圧がコンパレータ６１ａの基準電圧よりも低いときには、バッテリーチェックランプ６６を点灯させ、充電またはバッテリー７１の交換を警告する。
【００４５】
また、コンパレータ６１ｂの出力は、出力回路５２に入力される。出力回路５２は、検知電圧（バッテリー７１の電圧）がコンパレータ６１ｂの基準電圧よりも高いときには、施解錠機構部７には何も出力しない。また、検知電圧がコンパレータ６１ｂの基準電圧よりも低いときには、施解錠機構部７に解錠信号を出力して解錠させ、バッテリー７１の電圧低下で施解錠機構部７が作動しなくなって入室できなくなることを防止する。
【００４６】
この施錠装置４においては、送信機３５と受信機８との間の信号として光信号を用いているので、電波信号のように他の受信装置に受信される恐れがない。また、この施錠装置４は、屋外側からは、ドアスコープと見分けがつかないので、補助錠（施錠装置４）の存在が認識されず、それによって防犯性能を高めている。
【００４７】
上記実施形態では、施解錠機構部７の動力として電磁石を用いたが、モータを用いてもよい。例えば、図１２に示すように、施錠部材５３を軸５４によって回動自在に支持してあり、施錠部材５３のコーナー部にはギア５５を形成している。そして、モータ５６の回転軸に取り付けられた出力ギア５７を減速機５８に連結させ、減速機５８の出力ギア５９を施錠部材５３のギア５５に噛み合わせている。しかして、モータ５６を正転させると、減速機５８を介して施錠部材５３が回動して図１２（ａ）のように突出してドア枠の保持金具に係合し、ドア１が施錠される。また、モータ５６を逆転させると、減速機５８を介して施錠部材５３が回動して図１２（ｂ）のように引っ込んでドア枠の保持金具から外れ、ドア１が解錠される。
【００４８】
なお、施解錠機構部７を設ける位置は、図１（ｂ）に示したようにドアの上方に限定されるわけではない。例えば、図１３に示すようにドアノブ２の上などに設けて、施錠部材１４を地面と水平な方向に移動させるようにしてもよい。
【００４９】
なお、ドアの閉まり具合が悪いために施錠ができなかったときに、警告音を鳴らすようにしてもよい。たとえば、図２に示す保持金具１３の溝内の対向する側壁に投光素子と受光素子とを設けておけば、投光素子から出射された光が受光素子で受光されないときには施錠状態にあると判断できる。よって受信機８の出力回路５２から施錠信号が送信された後に、投光素子から光を出射して施錠状態を確認し、施錠されていないと判断されたときには警告音を発するようにしてもよい。なお、施錠状態の確認方法は上記の方法に限定されるわけではなく、どのような方法であってもよい。また、ドアの開閉に合わせて、音を発するようにしておけば、ドアスコープをのぞき込んで表示素子を確認しなくとも施解錠状態を確認することができる。
【００５０】
（第２の実施形態）
図１４は、施解錠機構部７の別の実施形態を説明するための概略断面図であって、第１の実施形態で説明した図５と同じ位置における断面図である。この実施形態の施解錠機構部も、第１の実施形態と同じかんぬき錠（図２参照）であって、同じ部品には同じ符号を付している。第１の実施形態では、永久磁石で施錠部材１４を移動させるようになっていたが、本実施形態ではモータ６３の動力で施錠部材１４を移動させる方法を説明する。
【００５１】
金属製の施錠部材１４は、ベース１５上に固定された支持金具によって長手方向にスライド自在に、且つ強固に保持されている。施錠部材１４は、平板状をしており、その基端部には上方に突出するように手動操作部３６が固定されている。施錠部材１４の下面には、長手方向にラック６２が取り付けられており、ラック６２の歯が減速ギア６５（列）と噛み合うようになっている。ベース１５上には、回転軸が施錠部材１４の長手方向と直交するように、モータ６３が固定されている。モータ６３の回転軸に取り付けられた出力ギア６４は、ギア比が大きな減速ギア６５（列）と噛み合っている。
【００５２】
しかして、モータ６３を正転させると、施錠部材１４が長手方向（図１４における左方向）に移動して、解錠が行われる。また、モータを逆転させると、施錠部材１４が逆方向（図１４における右方向）に移動して施錠が行われる。なお、停電等の非常時には、手動操作部３６を持って手動で施錠部材１４を移動させれば、解錠することができる（このとき、減速ギア６５とモータ６３は噛み合いを解除されるようにしてもよい）。
【００５３】
（第３の実施形態）
第１の実施形態に示した送信機では、施解錠信号のコピーを防止するために、送信信号に可変コードを用いたが、本実施形態では疑似情報コードを用いて信号のコピーを防止する例を説明する。
【００５４】
図１５（ａ）（ｂ）は、本実施形態における送信機３５ａと受信機８ａの構成を示すブロック図である。送信機３５ａは、プッシュボタンスイッチ４１、制御回路４２、固定コード記憶部４３ａ、疑似コード生成部７２、送信回路４５、投光素子駆動回路（ドライバ回路）４６及び投光素子４７からなっている。
【００５５】
プッシュボタンスイッチ４１は、送信機３５ａの表面に設けられており、施錠用のものと解錠用のものが別個に設けられていても良く、１つのプッシュボタンスイッチ４１を押す度に、施錠と解錠とに切り替わるようになっていてもよい。送信機３５ａでは、施解錠のための情報コード（真正コード）と、情報コードとは異なる疑似情報コードとが生成される。
【００５６】
送信機３５ａで生成される情報コードと疑似情報コードの構成を図１６（ａ）（ｂ）に示す。図１６（ａ）に示す固定コード（ＩＤコード）は当該送信機３５ａに固有の識別用コード（ＩＤコード）であって、例えば１６ビットの２進コードとなっており、図１５（ａ）に示す固定コード記憶部４３ａのメモリに格納されている。また、図１５（ａ）に示す疑似コード生成部７２では、図１６（ｂ）に示すスタートビットよりも後ろの疑似コードが生成される。
【００５７】
プッシュボタンスイッチ４１が押されると、制御回路４２では、まず、スタートビット（ＳＢ）の後に疑似コードを繋いで疑似情報コードを構成し、２値化パルス信号として送信回路４５に出力する。あるいは、スタートビット（ＳＢ）の後に固定コードをつなぎ、その後にメーカーコード（ＭＣ）、施錠や解錠などの制御内容を示す制御コードなどをつないで情報コードを構成し、２値化パルス信号として送信回路４５へ出力する。プッシュボタンスイッチ４１が押されている間、図１６（ｃ）に示すように、「疑似情報コード、情報コード、疑似情報コード・・・」というように情報コードに疑似情報コードが混入される。情報コードと疑似情報コードが送信される順序は交互でなくてもよいが、情報コードの前または後、若しくはその両方で、疑似情報コードが送信されることが望ましい。なお、プッシュボタンスイッチ４１が押されたときに制御回路４２から最初に出力される信号は、情報コードであってもよい。
【００５８】
送信回路４５へ送られた情報コード又は疑似情報コードは、送信回路４５において所定の変調方式により変調された後、投光素子駆動回路（ドライバ回路）４６で赤外光ＬＥＤ等の投光素子４７を駆動して送信される。
【００５９】
受信機８ａは、図１５（ｂ）に示すように、受光素子３２、受信回路４８、コード照合部４９、固定コード記憶部５０、出力回路５２から構成されている。受信回路４８は、受光素子３２で受信した赤外線信号を増幅及び復調し、元の情報コード又は疑似情報コード（２値化パルス信号）を復元してコード照合部４９へ送る。
【００６０】
コード照合部４９は、固有の固定コード（識別用コード）が登録されている固定コード記憶部５０から固定コードを読み出し、送信機側の固定コードと受信機側の固定コードとが一致するか、照合する。当然ながら、疑似情報コードを照合したときには、固定コードは一致しないので疑似情報コードによってドアの施解錠はできない。
【００６１】
コード照合部４９は、固定コードが一致すれば照合成功と判断し、照合成功を知らせる信号を出力回路５２に送る。出力回路５２は、照合成功の信号を受け取ると、制御コードに示されている指示に従って、施錠信号もしくは解錠信号を出力し、施解錠機構部７を駆動して施錠もしくは解錠させる。
【００６２】
ところで、１つのリモコン装置（送信機）でテレビやビデオ等の複数の器機を操作できるようにするために、各器機のリモコン装置から出力される信号をコピーする学習リモコン装置が市販されている。学習リモコン装置は、例えばその受光部に向けて各種リモコン装置から信号を送信したときに、図１６（ｄ）に示すように、連続して同一信号（Ａ）を所定回数（図１６（ｄ）では３回）受信すれば、その信号（Ａ）をコピーし、学習リモコン装置のボタンを押せばコピーした信号（Ａ）が出力されるようになっている。また、図１６（ｅ）に示すように、連続して同一信号を所定回数受信できなかったときには、エラーと判断して受信したいずれの信号（Ａ、Ｂ）もコピーしない。本考案の送信機３５ａは、情報コードの前後等で疑似情報コードを出力するので、上記のような市販の学習リモコン装置を用いても、情報コードがコピーされる恐れがない。
【００６３】
【考案の効果】
本考案の施錠装置によれば、屋外側から見たときにドアスコープと見分けが付かないので、施錠装置の存在を認識することができず、それによって家屋入口の防犯性能を高めることができる。
【図面の簡単な説明】
【図１】（ａ）は本考案の一実施形態による施錠装置を備えた家屋入口用のドアを示す屋外側からの正面図、（ｂ）はその屋内側からの背面図である。
【図２】同上の施錠装置を構成する施解錠機構部をドアに取り付けた状態を示す一部破断した側面図である。
【図３】同上の施解錠機構部の平面図である。
【図４】同上の施解錠機構部の内部の構造を示す平断面図である。
【図５】同上の施解錠機構部の構造を拡大して示す断面図である。
【図６】同上の施解錠機構部に用いられている施錠部材の平面図である。
【図７】（ａ）（ｂ）は同上の施解錠機構部の動作説明図である。
【図８】受信機の構造を示す断面図である。
【図９】受信機の屋外側からの外観を示す拡大図である。
【図１０】（ａ）（ｂ）は、送信機と受信機の構成を示すブロック図である。
【図１１】送信機で生成される情報コードの構成を示す図である。
【図１２】（ａ）（ｂ）は、施解錠機構部の別な機構とその動作を示す概略図である。
【図１３】施錠装置を備えた家屋入口用のドアを示す屋内側からの背面図であって、施解錠機構部の取付位置の別の例を示した図である。
【図１４】本考案の別な実施形態による、施解錠機構部の構造を拡大して示す断面図である。
【図１５】（ａ）（ｂ）は、本考案のさらに別な実施形態による送信機と受信機の構成を示すブロック図である
【図１６】（ａ）は、情報コードの構成を示す図、（ｂ）は、疑似情報コードの構成を示す図、（ｃ）は、送信機から送信される信号を示す図、（ｄ）（ｅ）は、市販されている学習リモコン装置での信号のコピー方法を説明するための図である。
【符号の説明】
１　ドア
４　施錠装置
７　施解錠機構部
８　受信機
９　リード線
１３　保持金具
１４　施錠部材
２０　永久磁石
２２　カム孔
２４　引張バネ
２５、２６　電磁石
３０　受光素子ホルダー
３２　受光素子
【図１】
0003099108.tif 000003
【図２】
0003099108.tif 000004
【図３】
0003099108.tif 000005
【図４】
0003099108.tif 000006
【図５】
0003099108.tif 000007
【図６】
0003099108.tif 000008
【図７】
0003099108.tif 000009
【図８】
0003099108.tif 000010
【図９】
0003099108.tif 000011
【図１０】
0003099108.tif 000012
【図１１】
0003099108.tif 000013
【図１２】
0003099108.tif 000014
【図１３】
0003099108.tif 000015
【図１４】
0003099108.tif 000016
【図１５】
0003099108.tif 000017
【図１６】
0003099108.tif 000018